(57)【要約】【課題】ダイビングポイントの検索やダイビングスクールやツアーの予約を容易且つ迅速に行なうことができるシステムを提供する。【解決手段】ユーザコンピュータ１５とサーバコンピュータ１４とを具備するダイビングサービス検索システム１０であって、サーバコンピュータ１４は、複数のダイビングポイントの位置情報２４と、各ダイビングポイントにおけるダイバーが必要な熟練度や各ダイビングポイントにおける見どころ等の個別特徴情報２５，２６とが予め記憶されたダイビング情報データベース２１と、ユーザコンピュータ１５から入力された検索条件に基づいて、ダイビング情報データベース２１内に記憶されている位置情報２４および個別特徴情報２５、２６から該当する情報を検索し、該当する情報を検索結果としてユーザコンピュータ１５へ送信して表示させる検索手段１７とを具備する。【選択図】        図２
2004264961.tif 000002
【特許請求の範囲】
【請求項１】
モニタ等の表示手段と、ユーザが操作可能なキーボードやマウス等の入力手段とを有するユーザコンピュータと、
該ユーザコンピュータと通信回線を介して相互に通信可能に接続されたサーバコンピュータとを具備するダイビングサービス検索システムであって、
前記サーバコンピュータは、
複数のダイビングポイントの位置情報と、各ダイビングポイントにおけるダイバーが必要な熟練度や各ダイビングポイントにおける見どころ等の個別特徴情報とが予め記憶されたダイビング情報データベースと、
前記ユーザコンピュータから入力された検索条件に基づいて、前記ダイビング情報データベース内に記憶されている位置情報および個別特徴情報から該当する情報を検索し、該当する情報を検索結果として前記ユーザコンピュータへ送信して表示させる検索手段とを具備することを特徴とするダイビングサービス検索システム。
【請求項２】
前記各ダイビングポイントにおけるスクールおよび／またはツアーを開催する日付や金額等の開催情報が前記ダイビング情報データベース内に予め記憶され、
前記検索手段は、前記ユーザコンピュータから入力された検索条件に基づいて、前記ダイビング情報データベース内に記憶されている位置情報、個別特徴情報および開催情報から該当する情報を検索することを特徴とする請求項１記載のダイビングサービス検索システム。
【請求項３】
前記サーバコンピュータは、
前記各ダイビングポイントにおけるスクールおよび／またはツアーに対して、前記ユーザコンピュータからの予約を受け付ける予約受付手段を具備することを特徴とする請求項２記載のダイビングサービス検索システム。
【請求項４】
予めユーザの氏名や年齢等を登録したユーザ登録データベースが設けられ、
前記予約受付手段は、前記ユーザ登録データベースに登録されたユーザのみの予約を受け付けることを特徴とする請求項３記載のダイビングサービス検索システム。
【請求項５】
前記ユーザ登録データベースには、登録されたユーザ毎に特典が付与されたポイント数が記憶されており、
登録されたユーザが、前記前記各ダイビングポイントにおけるスクールおよび／またはツアーに対する予約を確定させた場合等のサービス使用時には前記ポイント数を所定数加算するポイント加算手段を具備することを特徴とする請求項４記載のダイビングサービス検索システム。
【請求項６】
前記サーバコンピュータは、前記各ダイビングポイントにおけるスクールおよび／またはツアーが、該当するダイビングポイントとは異なる場所に存在するショップが主催するものであっても前記ダイビング情報データベース内に予め記憶し、
前記ユーザコンピュータは、検索条件として前記ダイビングポイントの位置情報を入力することで該当するダイビングポイントとは異なる場所に存在するショップが主催するものであっても該当するダイビングポイントにおけるスクールおよび／またはツアーを検索可能であることを特徴とする請求項２〜請求項５いずれか１項記載のダイビングサービス検索システム。
【請求項７】
前記ユーザ登録データベースには、各ユーザの熟練度が記憶されており、
前記検索手段は、
ユーザコンピュータから入力された検索条件に基づいてダイビング情報データベース内を検索する際に、ユーザ登録データベースに記憶された各ユーザの熟練度を抽出し、ユーザの熟練度と一致する熟練度を有するダイビングスポットの各情報を優先してユーザコンピュータに表示させることを特徴とする請求項４〜請求項６いずれか１項記載のダイビングサービス検索システム。
【請求項８】
前記ユーザ登録データベースには、各ユーザの好みのダイビングスタイルが記憶されており、
前記検索手段は、
ユーザコンピュータから入力された検索条件に基づいてダイビング情報データベース内を検索する際に、ユーザ登録データベースに記憶された各ユーザの好みのダイビングスタイルを抽出し、ユーザのダイビングスタイルと一致するダイビングスタイルを有するダイビングスポットの各情報を優先してユーザコンピュータに表示させることを特徴とする請求項４〜請求項７いずれか１項記載のダイビングサービス検索システム。
【請求項９】
ユーザコンピュータと通信回線を介して相互に通信可能に接続されたサーバコンピュータであって、
複数のダイビングポイントの位置情報と、各ダイビングポイントにおけるダイバーが必要な熟練度や各ダイビングポイントにおける見どころ等の個別特徴情報とが予め記憶されたダイビング情報データベースと、
前記ユーザコンピュータから入力された内容に基づいて前記ダイビング情報データベース内に記憶されている位置情報および個別特徴情報を検索し、検索結果を前記ユーザコンピュータへ送信して表示させる検索手段とを具備することを特徴とするダイビングサービス検索用サーバコンピュータ。
【請求項１０】
前記各ダイビングポイントにおけるスクールおよび／またはツアーを開催する日付や金額等の開催情報が前記ダイビング情報データベース内に予め記憶され、
前記検索手段は、前記ユーザコンピュータから入力された検索条件に基づいて、前記ユーザ情報データベース内に記憶されている位置情報、個別特徴情報および開催情報から該当する情報を検索することを特徴とする請求項９記載のダイビングサービス検索用サーバコンピュータ。
【請求項１１】
前記各ダイビングポイントにおけるスクールおよび／またはツアーに対して、前記ユーザコンピュータからの予約を受け付ける予約受付手段を具備することを特徴とする請求項１０記載のダイビングサービス検索用サーバコンピュータ。
【請求項１２】
予めユーザの氏名や年齢等を登録したユーザ登録データベースが設けられ、
前記予約受付手段は、前記ユーザ登録データベースに登録されたユーザのみの予約を受け付けることを特徴とする請求項１１記載のダイビングサービス検索用サーバコンピュータ。
【請求項１３】
前記ユーザ登録データベースには、登録されたユーザ毎に特典が付与されたポイント数が記憶されており、
登録されたユーザが、前記前記各ダイビングポイントにおけるスクールおよび／またはツアーに対する予約を確定させた場合等のサービス使用時には前記ポイント数を所定数加算するポイント加算手段を具備することを特徴とする請求項１２記載のダイビングサービス検索用サーバコンピュータ。
【請求項１４】
前記各ダイビングポイントにおけるスクールおよび／またはツアーが、該当するダイビングポイントとは異なる場所に存在するショップが主催するものであっても前記ダイビング情報データベース内に予め記憶されていることを特徴とする請求項１０〜請求項１３いずれか１項記載のダイビングサービス検索用サーバコンピュータ。
【請求項１５】
前記ユーザ登録データベースには、各ユーザの熟練度が記憶されており、
前記検索手段は、
ユーザコンピュータから入力された検索条件に基づいてダイビング情報データベース内を検索する際に、ユーザ登録データベースに記憶された各ユーザの熟練度を抽出し、ユーザの熟練度と一致する熟練度を有するダイビングスポットの各情報を優先してユーザコンピュータに表示させることを特徴とする請求項１２〜請求項１４いずれか１項記載のダイビングサービス検索用サーバコンピュータ。
【請求項１６】
前記ユーザ登録データベースには、各ユーザの好みのダイビングスタイルが記憶されており、
前記検索手段は、
ユーザコンピュータから入力された検索条件に基づいてダイビング情報データベース内を検索する際に、ユーザ登録データベースに記憶された各ユーザの好みのダイビングスタイルを抽出し、ユーザのダイビングスタイルと一致するダイビングスタイルを有するダイビングスポットの各情報を優先してユーザコンピュータに表示させることを特徴とする請求項１２〜請求項１５いずれか１項記載のダイビングサービス検索用サーバコンピュータ。
【発明の詳細な説明】
【０００１】
【発明の属する技術分野】
本発明は、ダイビングに関する情報を様々な条件で検索可能なダイビングサービス検索システム、およびダイビングサービス検索用サーバコンピュータに関する。
【０００２】
【従来の技術】
従来より、インターネット上では様々な検索サイトが存在している。
例えば、画面上で表示されている地図において、地図上の任意の箇所をクリックすることによって当該箇所にある店舗が表示され、この店舗の情報が表示されるようなものは従来からより知られているものである（例えば、特許文献１参照）。
【０００３】
【特許文献１】
特開平９−３４９０２号公報（図５〜図８）
【０００４】
【発明が解決しようとする課題】
ダイビングの分野においては、各地のダイビングポイントについての情報は、専門誌等の紙媒体や口コミを通じて伝達されているのが一般的であり、容易且つ迅速にダイビングポイントについて検索することが望まれているという課題がある。
また、従来はダイビングスクールの予約や、各ダイビングポイントへのツアーの予約等はやはり紙媒体やダイビングショップの店頭などで行なわざるを得ず、容易且つ迅速に予約するできるような仕組みを整えることが望まれていたという課題があった。特にダイビングについては、旅行の予約とは違って予約の対象である交通機関や宿泊施設が存在していないため、ダイビングスクールやツアーを主催する者に対して直接申し込まなくてはならなかったためである。
【０００５】
そこで、本発明は上記課題を解決すべくなされ、その目的とするところは、ダイビングポイントの検索やダイビングスクールやツアーの予約を容易且つ迅速に行なうことができるシステムを提供することにある。
【０００６】
【課題を解決するための手段】
本発明にかかるダイビングサービス検索システムによれば、モニタ等の表示手段と、ユーザが操作可能なキーボードやマウス等の入力手段とを有するユーザコンピュータと、該ユーザコンピュータと通信回線を介して相互に通信可能に接続されたサーバコンピュータとを具備するダイビングサービス検索システムであって、前記サーバコンピュータは、複数のダイビングポイントの地図上の位置情報と、各ダイビングポイントにおけるダイバーが必要な熟練度や各ダイビングポイントにおける見どころ等の個別特徴情報とが予め記憶されたデータベースと、前記ユーザコンピュータから入力された検索条件に基づいて、前記データベース内に記憶されている位置情報および個別特徴情報から該当する情報を検索し、該当する情報を検索結果として前記ユーザコンピュータへ送信して表示させる検索手段とを具備することを特徴としている。
この構成を採用することによって、ユーザは、ダイビングに関する情報を容易且つ迅速に入手することができるようになる。
【０００７】
また、前記各ダイビングポイントにおけるスクールおよび／またはツアーを開催する日付や金額等の開催情報がデータベース内に予め記憶され、前記検索手段は、前記ユーザコンピュータから入力された検索条件に基づいて、前記データベース内に記憶されている位置情報、個別特徴情報および開催情報から該当する情報を検索することを特徴としてもよい。
これによれば、ユーザにとってスクールやツアーなどの検索も簡単に行なえるようになる。
【０００８】
また、前記サーバコンピュータは、前記各ダイビングポイントにおけるスクールおよび／またはツアーに対して、前記ユーザコンピュータからの予約を受け付ける予約受付手段を具備することにより、ユーザはスクールやツアーへの予約も容易且つ迅速に行なうことができる。
【０００９】
さらに、予めユーザの氏名や年齢等を登録した登録データベースが設けられ、前記予約受付手段は、前記登録データベースに登録されたユーザのみの予約を受け付けることを特徴とすることによって、身元が確実な者のみの予約を行なうので、確実に予約が成立するようにすることができる。
【００１０】
なお、前記登録データベースには、登録されたユーザ毎に特典が付与されたポイント数が記憶されており、登録されたユーザが、前記前記各ダイビングポイントにおけるスクールおよび／またはツアーに対する予約を確定させた場合等のサービス使用時には前記ポイント数を所定数加算するポイント加算手段を具備することを特徴としてもよい。
この構成によれば、ユーザの本検索システムの使用を促し、ユーザの利用増を図ることができる。
【００１１】
また、前記サーバコンピュータは、前記各ダイビングポイントにおけるスクールおよび／またはツアーが、該当するダイビングポイントとは異なる場所に存在するショップが主催するものであっても前記ダイビング情報データベース内に予め記憶し、前記ユーザコンピュータは、検索条件として前記ダイビングポイントの位置情報を入力することで該当するダイビングポイントとは異なる場所に存在するショップが主催するものであっても該当するダイビングポイントにおけるスクールおよび／またはツアーを検索可能であることを特徴としてもよい。
これによれば、例えば、伊豆で行なわれるツアーを予約しようとする際に「伊豆」という位置情報（画面に表示される地図等を含む）から検索すれば、東京のショップが伊豆で行なうようなツアーであっても検索することができる。すなわち、ダイビングポイント現地には何ら施設・店舗等が存在しない場合であっても、そのダイビングポイントで行なわれるスクールやツアーを、現地のダイビングポイントから検索して予約できるのである。つまり、通常の旅行等の検索・予約システムとは異なり、現地には交通機関や宿泊施設等のハードウェア的な予約対象が何ら存在しないダイビングと言う特殊な状況であっても検索や予約が可能となったのである。
【００１２】
また、前記ユーザ登録データベースには、各ユーザの熟練度が記憶されており、前記検索手段は、ユーザコンピュータから入力された検索条件に基づいてダイビング情報データベース内を検索する際に、ユーザ登録データベースに記憶された各ユーザの熟練度を抽出し、ユーザの熟練度と一致する熟練度を有するダイビングスポットの各情報を優先してユーザコンピュータに表示させることを特徴としてもよい。
また、前記ユーザ登録データベースには、各ユーザの好みのダイビングスタイルが記憶されており、前記検索手段は、ユーザコンピュータから入力された検索条件に基づいてダイビング情報データベース内を検索する際に、ユーザ登録データベースに記憶された各ユーザの好みのダイビングスタイルを抽出し、ユーザのダイビングスタイルと一致するダイビングスタイルを有するダイビングスポットの各情報を優先してユーザコンピュータに表示させることを特徴としてもよい。これらの構成を採用することにより、予め登録されたユーザの情報を有効に利用できるので、検索の質を上げることができる。
【００１３】
本発明にかかるダイビングサービス検索用サーバコンピュータによれば、ユーザコンピュータと通信回線を介して相互に通信可能に接続されたサーバコンピュータであって、複数のダイビングポイントの地図上の位置情報と、各ダイビングポイントにおけるダイバーが必要な熟練度や各ダイビングポイントにおける見どころ等の個別特徴情報とが予め記憶されたデータベースと、前記ユーザコンピュータから入力された内容に基づいて前記データベース内に記憶されている位置情報および個別特徴情報を検索し、検索結果を前記ユーザコンピュータへ送信して表示させる検索手段とを具備することを特徴としている。
この構成によれば、ダイビングに関する情報を容易且つ迅速にユーザへ提供することができるようになる。
【００１４】
【発明の実施の形態】
以下、本発明の実施の形態について図面に基づいて詳細に説明していく。
（第１実施形態）
まず、ダイビングサービス検索システム全体の概要について図１を用いて説明する。
ダイビングサービス検索システム１０（以下、単に本システムということがある）全体としては、通信回線の一例としてのインターネット１２に接続されたダイビングサービス検索用サーバコンピュータ１４（以下、単にサーバコンピュータということがある）と、インターネット１２に接続された複数のユーザコンピュータ１５とから構成される。なお、通信回線としてはインターネット１２に限定されることはなく、他のネットワーク網であってもよい。
【００１５】
サーバコンピュータ１４としては、インターネット１２に接続されて情報の送信を行なうためのｗｅｂサーバ等を採用することができる。ｗｅｂサーバは、ユーザコンピュータのｗｅｂブラウザからの要求によって、画像ファイルや文書ファイル等を送信することができる。
【００１６】
次に、サーバコンピュータの構成について図２に基づいて説明する。
サーバコンピュータ１４は、ＣＰＵやメモリ等から構成されて予め搭載されている制御プログラムに基づいて動作する制御部１６と、通信回線と接続されてデータを接続先の機器との間で送受信する機能を有する通信部１８と、ハードディスク等の記憶手段２０とが設けられている。
記憶手段２０としては、内部に組み込まれているものであってもよいし、外部に設けられているものであってもどちらでもよく、制御部１６が制御可能に接続されていればよい。
【００１７】
記憶手段２０には、ダイビングサービスについての各種情報（ダイビングポイントの位置情報や見どころなどの個別特徴情報等）が記憶されたダイビング情報データベース２１と、ユーザの氏名や年齢等を登録したユーザ登録データベース２２とが構築されている。
【００１８】
また、サーバコンピュータ１４内には、各データベース内の情報を検索し、検索結果をユーザコンピュータ１５へ送信する検索手段１７と、ユーザコンピュータ１５からのスクールやツアーの予約を受け付ける予約受付手段１９とが設けられている。
検索手段１７と予約受付手段１９は、予め搭載された制御プログラム等を制御部１６が実行することによって実現される。
【００１９】
続いて、図３に基づいてダイビング情報データベースについて説明する。
ダイビング情報データベース２１には、全国各地のダイビングポイントをを地図上に関連付けさせて記憶された地図情報２４、各ダイビングポイントにおけるダイバーが必要とされる熟練度２５、各ダイビングポイントの見どころ等の情報２６、各ダイビングポイントにおけるスクールの開催情報２７、および各ダイビングポイントにおけるツアーの開催情報２８が記憶されている。本明細書では、熟練度２５と見どころ等２６を合わせて個別特徴情報としている。
【００２０】
ダイビングポイントの地図情報としては、日本列島を北海道エリア、東北エリア、房総エリア等の大きなエリア毎に区切り、ダイビングポイントがこのエリアのいずれかに含まれるようにエリアと各ダイビングポイントとが関連づけされて記憶されている。
【００２１】
また、各ダイビングポイントにおける見どころ等の情報としては、例えば、沈船や洞窟等の有無による場所自体の地形等の特徴、イルカやマンタ等特定の動物を観察しやすいという観察対象による特徴等が挙げられる。
【００２２】
ダイビングスクールおよびダイビングツアーの開催情報としては、スクールやツアーの日程、金額等が記憶されている。さらに、日程や金額だけではなく、１人用のプランか、カップル向けのプランか、または機材等をレンタルするプランであるか等、どのような該当するスクールやツアーがどのようなプランであるかについてもデータベース化されている。
また、ダイビングスクールおよびダイビングツアーの開催情報の中には、各日程における予約の状況が含まれている。
【００２３】
次に、図４に基づいてユーザ登録データベースについて説明する。
ユーザ登録データベース２２には、ユーザがユーザコンピュータ１５から入力してきたユーザ自身の情報が記憶されてデータベースとして構築されている。
ユーザの情報としては、Ｅ−ＭＡＩＬアドレス３０、パスワード３２（ユーザ自ら設定可能）、ユーザプロフィール３４、Ｃカード保有情報３６、保有機材情報３７、職業３８、獲得ポイント３９等があり、それぞれユーザ毎に記憶される。
なお、ここでＥ−ＭＡＩＬアドレスが登録されているのは、本実施形態のユーザＩＤとしてＥ−ＭＡＩＬアドレスを用いているだけであるので、Ｅ−ＭＡＩＬアドレスをユーザＩＤとせずに別途ユーザＩＤを設定しても良い。
【００２４】
ユーザプロフィール３４には、ユーザの氏名、生年月日、性別、住所、電話番号等の情報が含まれる。
また、Ｃカード保有情報３６には、ユーザが一定の知識と技術を拾得したことを認定するＣカードの保有の有無、Ｃカードの認定団体名、認定団体におけるランク、経験本数、経験年数などの情報が含まれる。
保有機材情報３７は、ユーザが所有している機材名（マスク、ウェット、ドライ、スノーケル、フィン等）が情報として含まれる。
【００２５】
なお、上記のように、ユーザ登録データベース２２には、各ユーザの獲得ポイント数が記憶されているが、このポイントとは、ユーザが本システムを使用した際に使用度（使用金額等）に応じて付与されるものである。ポイントが所定数以上蓄積されるとポイント数に応じて料金が安くなる等の特典が与えられる。
獲得ポイントの加算は、制御部１６が所定の制御プログラムを作動させることにより実現させたポイント加算手段１１によって行なわれる。
【００２６】
次に、ユーザコンピュータについて図５に基づいて説明する。
ユーザコンピュータ１５は、上述したようにＣＰＵやメモリ等から構成される制御部４０と、通信回線と接続されて接続先の他の機器とデータの送受信を行なう通信部４２と、ハードディスク等の記憶手段４４と、ポインティングデバイスやキーボード等のユーザが操作してデータ入力可能な入力手段４６と、モニタ装置等の表示手段４８とが設けられている、市販の汎用コンピュータを用いることができる。
なお、本実施形態のユーザコンピュータ１５は、インターネットに接続してサーバコンピュータが開示するホームページを閲覧できる閲覧ソフト（ｗｅｂブラウザ）５０が搭載されていることが必要である。
【００２７】
次に、本実施形態における、ダイビングサービスの検索動作について、図６〜図１７に基づいて説明する。
まず、ユーザは、ユーザコンピュータ１５を操作して、ｗｅｂブラウザを開き、サーバコンピュータにアクセスして、ダイビングサービス検索ｗｅｂサイトを表示させる。ｗｅｂサイトのトップページは図６に示すような画面である。
【００２８】
まず、ダイビングポイントを地図から検索する場合について説明する。
ユーザが、ダイビングポイントを地図から検索するためのボタン６０をクリックすると、サーバコンピュータ１４の制御部１６は、日本列島が大きなエリア毎に分割表示された画面をユーザコンピュータへ表示させる（図７）。
次にユーザは、表示された画面の中の任意のエリアを選択してクリックする。すると、サーバコンピュータ１４の制御部１６は、選択したエリアの拡大地図をユーザコンピュータへ表示させる（図８）。図８では、例として伊豆エリアを選択してクリックした場合を示している。
【００２９】
図８で示した拡大地図には、当該エリア内の具体的なダイビングポイントが表示されている。
ユーザは、画面上で任意のダイビングポイントを選択してクリックする。すると、サーバコンピュータ１４の検索手段１７は、選択されたダイビングポイントに該当する各情報をダイビング情報データベース２１内から検索し、検索結果としてユーザコンピュータ１５に表示させる（図９）。
この検索結果としての画面では、全体の概況として記述された当該ダイビングポイントの見どころ等の情報５２と、ダイビングスクールまたはツアーの開催情報５４とが一体となって表示されている。
ここの画面からスクールまたはツアーの予約ページに移行することもできるが、予約方法については後述する。
【００３０】
次に、ユーザの好みのダイビングスタイルから該当するダイビングポイントを検索する場合について説明する。
図６の画面に示したように、本実施形態ではダイビングスタイルの検索条件としては大きく分けて２つあるものについて説明する。この２つの検索条件とは、講習を目的とした条件６６と、熟練度別や見どころから検索する条件６８とである。
【００３１】
ここで、ユーザが例えば初級者向きのボタン６９をクリックして初級者向けの情報について検索を開始すると、サーバコンピュータ１４の検索手段１７が、ダイビング情報データベース２１内から熟練度の項目で初心者向けとなっているダイビングポイントを検索し、該当するダイビングポイントの各情報を抽出して、検索結果としてユーザコンピュータ１５に表示させる（図１０）。
【００３２】
図１０の検索結果では、初級者向けのスクールやツアーを提供しているダイビングショップの事業者名や、実際のスクールやツアーの場所、日程、金額等が表示される。
なお、この画面ではエリアを選択可能なプルダウンメニュー７０が設けられており、エリア別に検索することもできる。プルダウンメニュー７０を操作することにより、サーバコンピュータ１４の検索手段１７は、ダイビング情報データベース２１内から選択されたエリア内での熟練度の項目で初心者向けとなっているダイビングポイントを検索し、該当するダイビングポイントの各情報を抽出する。
また、検索結果の表示順を変更させるために、値段の安い順等の項目を選択可能なプルダウンメニュー７１が設けられている。このプルダウンメニュー７１を操作してボタン７２をクリックすることにより、検索結果を任意の順でソートさせることができる。
なお、この画面から、スクールまたはツアーの予約ページに移行することもできるが、予約方法については後述する。
【００３３】
次に、スクールやツアーのプランから検索する場合について説明する。
図６の画面においてユーザがカップルプランボタン７４をクリックしてカップルでのダイビングについての情報検索を開始する。すると、サーバコンピュータ１４の検索手段１７が、ダイビング情報データベース２１内からスクールまたはツアーの開催情の中でカップル向けとして記憶されているダイビングポイントを検索し、該当するダイビングポイントの各情報を抽出して、検索結果としてユーザコンピュータ１５に表示させる（図１１）。
【００３４】
図１１に示された検索結果では、カップル向けのスクールやツアーを提供しているダイビングショップの事業者名や、実際のスクールやツアーの場所、日程、金額等が表示される。
この画面においても、図１０に示した画面と同様に、エリアを選択可能であったり、表示内容をソート可能な機能を有しているが、図１０と同一の構成であるため、ここでは図１０と同じ符号を付して説明を省略する。
なお、この画面から、スクールまたはツアーの予約ページに移行することもできるが、予約方法については後述する。
【００３５】
なお、本システムでは、ユーザの熟練度、希望日時、人数、金額等の様々な条件を組み合わせて検索可能な複数条件検索も可能である。
図６の画面から、ユーザが条件検索ボタン７６をクリックすると、図１２に示すような複数の検索条件を入力するためのページが表示される。
この画面では日付を選択するプルダウンメニュー７８、エリアを選択するプルダウンメニュー７９、人数を選択するプルダウンメニュー８０、ダイビングスタイルを入力するチェックボックス８１、プランを選択するチェックボックス８２、および金額を選択するチェックボックス８３が設けられている。
【００３６】
ユーザは、これらの検索条件から任意の検索条件を選択したのち、送信ボタン８４をクリックする。すると、サーバコンピュータ１４の検索手段１７が、ダイビング情報データベース２１内からユーザが指定した複数の検索条件に該当するダイビングポイントを検索し、該当するダイビングポイントの各情報を抽出し、ユーザコンピュータ１５に表示させる。
なお、ここでは、検索結果を示す画面については図面を省略する。
【００３７】
次に、スクールやツアーの予約方法について説明する。
まず、予約する前に空き状況を確認する必要がある。そこでユーザは、検索結果が表示された画面上（図９〜図１１）において、任意のスクールやツアーの空き状況ボタン８６をクリックし、図１３に示すような空き状況ページを表示させる。
ユーザコンピュータ１５で空き状況ボタン８６がクリックされると、サーバコンピュータ１４の検索手段１７は、ダイビング情報データベース２１から指定されたスクールやツアーの空き状況を検索してユーザコンピュータ１５に表示させる。なお、ダイビング情報データベース２１内には、空き状況に関するデータとして過去から未来にかけての分が存在しているが、最初に表示する空き状況は自動的に当月分となるよう、サーバコンピュータ１４の検索手段１７が制御している。
また、図１３の空き状況を示す画面では、プルダウンメニュー８８によって、未来の月の空き状況をカレンダー形式で表示可能に設けられている。
【００３８】
ここで、ユーザが予約したい日付の人数部分（符号８７）をクリックすると、図１４に示すように、予約内容の確認をする画面に移行する。
ここで、この内容で予約して良いということであれば、ユーザは、予約ボタン８９をクリックする。
【００３９】
予約ボタン８９をクリックした後、ユーザが登録された者であるか否かを確認するために、ユーザにＥ−ＭＡＩＬアドレスとパスワードの入力を促すページが表示される（図１６）。
このページにおいて、ユーザは、所定のテキストボックス９０内にＥ−ＭＡＩＬアドレスとパスワードを記入し、次へ進むためのボタン９１をクリックする。
【００４０】
するとサーバコンピュータ１４の制御部１６は、ユーザコンピュータ１５から送信されてきたＥ−ＭＡＩＬアドレスおよびパスワードと、ユーザ登録データベース２２内に格納されているユーザの情報とを比較し、ユーザコンピュータ１５から送信されてきたＥ−ＭＡＩＬアドレスとパスワードとがデータベース２２に登録されたものであり、且つユーザコンピュータ１５から送信されてきたＥ−ＭＡＩＬアドレスとパスワードとが同一人物のものであることを確認することができれば、次の画面に移行する。
【００４１】
一方、サーバコンピュータ１４の制御部１６は、ユーザコンピュータ１５から送信されてきたＥ−ＭＡＩＬアドレスとパスワードとがデータベース２２に登録されていないものであった場合には、予約ができない旨をユーザコンピュータ１５に表示させる。
また、サーバコンピュータ１４の制御部１６は、ユーザコンピュータ１５から送信されてきたＥ−ＭＡＩＬアドレスとパスワードとが同一人物のものではないことがことが判明した場合には、再度Ｅ−ＭＡＩＬアドレスとパスワードを入力するように促す画面をユーザコンピュータ１５に表示させる。
【００４２】
進むボタン９１がクリックされ、Ｅ−ＭＡＩＬアドレスとパスワードとが確認できた場合、図１６に示すように、予約者氏名や、集合方法、レンタル機材、Ｃカード団体名、ランク、経験本数等を記入するテキストボックス９２を含むページが表示される。なお、図１６で示したページでは、予約者が一人の場合について示しているが、予約者が複数人である場合においては上記各データを記入するテキストボックス９２が複数人分表示される。
ユーザは、これらの予約事項を入力したら、送信ボタン９３をクリックする。予約者が複数人存在している場合は複数人分の予約事項がサーバコンピュータ１４へ送信される。
すると、サーバコンピュータ１４の予約受付手段１９は、ユーザが予約しようとするスクールやツアーの開催情報に加え、図１６でユーザが記入した予約事項の内容を表示した画面を作成して、ユーザコンピュータ１５に送信する。
ユーザコンピュータ１５では、このような予約内容を表示した画面（図示せず）がサーバコンピュータ１４から返されてくるため、ユーザが再度予約内容を確認して確認ボタンをクリックする。これにより、予約が完了する。
【００４３】
予約が完了すると、サーバコンピュータ１４のポイント加算手段１１は、予約したユーザの今までの獲得ポイント数に所定のポイント数を加算し、加算したポイント数をユーザ登録データベース２２へ記憶させる。
【００４４】
次に、ユーザ登録を行なう際の動作について説明する。
ユーザが、図６に示したトップページの登録ボタン９４をクリックすると、図１７のような画面が表示される。
この画面では、Ｅ−ＭＡＩＬアドレス、パスワード（ユーザ自ら設定可能）、ユーザプロフィール、Ｃカード保有情報、保有機材情報、および職業等を記入するテキストボックスおよびチェックボックス９６が表示される。
ユーザはこれらの情報を入力した後、登録ボタン９７をクリックすることによって、入力した情報をサーバコンピュータ１４へ送信する。
サーバコンピュータ１４では、送信されてきたユーザの各情報をユーザ登録データベース２２内に記憶する。
【００４５】
なお、本検索システムでは、ユーザが情報を投稿して表示させる掲示板機能を有していてもよい（図示せず）。
掲示板機能を設けることにより、ユーザはそれぞれの体験や情報を共有できることとなるので、ユーザの本システムの利用度を上げることに寄与する。
さらに、本システムでは、ポイントサービスを採用しているので、掲示板に投稿した場合に所定数のポイントを加算するようにすると、さらに掲示板の利用率を上昇させることができる。
【００４６】
（第２実施形態）
次に、上述したようなシステムにおいて、ユーザ登録データベースに登録した内容を検索に反映させる場合について説明する。
この実施形態では、まずユーザ登録時に、ユーザの熟練度や好みのダイビングスタイルとを入力して登録しておくようにする（図示せず）。
ここでいう好みのダイビングスタイルとは、上述したような沈船や洞窟等の有無による場所自体の好みやイルカやマンタ等特定の動物を観察しやすいという観察対象による好み等の他に、常にカップルで行動するユーザであればカップル向けプランが好みであったり、道具を運ぶのが面倒なユーザであれば道具は全てレンタルでまかなうプランが好みである等のプランによる好みのスタイルが挙げられる。
【００４７】
図１８のフローチャートに基づいて、このような熟練度や好みのダイビングスタイルを反映させた検索動作について説明する。
まず、ユーザがユーザコンピュータ１５のブラウザ５０を操作して、サーバコンピュータ１４に接続し、本システムのトップページを表示させる（ステップＳ１００）。
次いで、ユーザは予め登録してあったＥ−ＭＡＩＬアドレス（ユーザＩＤ）とパスワードと入力する（ステップＳ１０２）。
【００４８】
サーバコンピュータ１４の制御部１６では、入力されたＥ−ＭＡＩＬアドレスとパスワードとが、ユーザ登録データベース２２に記憶されているものであるか否かを確認する（ステップＳ２００）。
【００４９】
ユーザは、Ｅ−ＭＡＩＬアドレスとパスワードとを入力した後、好みの検索条件を選択して検索を開始させる（ステップＳ１０４）。
サーバコンピュータ１４の検索手段１７は、ユーザコンピュータ１５から入力された検索条件に基づいて、ダイビング情報データべース２１内を検索する（ステップＳ２０２）。
【００５０】
検索結果は、ユーザコンピュータ１５へ送信されて表示されるが、このとき検索手段１７は、入力されたＥ−ＭＡＩＬアドレスとパスワードとに基づいてユーザ登録データベース２２に記憶されている当該ユーザの熟練度または好みのダイビングスタイルについての情報を抽出し、検索結果内に当該ユーザの熟練度または好みのダイビングスタイルについての情報と一致する情報が含まれているか否かを判断する（ステップＳ２０４）。
【００５１】
検索手段１７は、検索結果の中に当該ユーザの熟練度やダイビングスタイルに関する情報と同一の情報があると判断した場合には、検索結果の中で一致する情報が存在する検索結果を優先してユーザコンピュータ１５に表示させるようにする（ステップＳ１０７）。
例えば、登録されたユーザの情報では初級者である場合に、ユーザが入力した検索条件での結果では上級者向けのダイビングポイントと初級者向けのダイビングポイントが抽出されたときには、初級者向けの情報を上級者向けの情報よりも画面上方に表示させたり、上級者向けの情報を次の画面で表示させるようにするのである。
【００５２】
また、検索手段１７は、検索結果の中に当該ユーザの熟練度やダイビングスタイルに関する情報と同一の情報がないと判断した場合には、検索結果をそのままユーザコンピュータ１５に表示させるようにする（ステップＳ１０６）。
これで、熟練度や好みのダイビングスタイルを反映させた検索動作の一例が終了する。
【００５３】
なお、本実施形態では、ユーザ登録データベースに登録した内容を検索に反映させる場合として、検索結果の表示にかかる優先度を変更するような仕組みであった。
しかし、他の実施形態として、ユーザが検索を行なおうとする際に、Ｅ−ＭＡＩＬアドレスとパスワードとを入力さえすれば、予めユーザ登録データベース内に登録されている熟練度やダイビングスタイル等の情報のみでダイビング情報データベース内の検索をするようにしてもよい。このような構成にすれば、ユーザは何ら検索条件を入力しなくともよいこととなるので、検索時のユーザの手間を省くことができる。
【００５４】
以上、本発明の好適な実施の形態について種々述べてきたが、本発明は上述する実施の形態に限定されるものではなく、発明の精神を逸脱しない範囲で多くの改変を施し得るのはもちろんである。
【００５５】
【発明の効果】
本発明に係るダイビングサービス検索システムによれば、ユーザは、ダイビングに関する情報を容易且つ迅速に入手することができるようになる。
また、本発明に係るダイビングサービス検索用サーバコンピュータによれば、ダイビングに関する情報を容易且つ迅速にユーザへ提供することができるようになる。
【図面の簡単な説明】
【図１】ダイビングサービス検索システムの全体構成を示す説明図である。
【図２】ダイビングサービス検索用サーバコンピュータの構成を示すブロック図である。
【図３】ダイビング情報データベースの構成を示す説明図である。
【図４】ユーザ登録データベースの構成を示す説明図である。
【図５】ユーザコンピュータの構成を示すブロック図である。
【図６】ダイビングサービス検索用サーバコンピュータが提供するダイビングサービスサイトのトップページである。
【図７】地図からの検索を選択した場合に表示される画面である。
【図８】図７の画面から任意のエリアを選択した場合に表示される拡大地図の画面である。
【図９】図８の画面から任意のダイビングポイントを選択した場合の検索結果として、該当するダイビングポイントの情報が表示されたところを示す画面である。
【図１０】初心者向けの検索条件を入力した場合の検索結果として、該当するダイビングポイントの情報が表示されたところを示す画面である。
【図１１】カップルプランの検索条件を入力した場合の検索結果として、該当するダイビングポイントの情報が表示されたところを示す画面である。
【図１２】ユーザが様々な検索条件を入力できる画面である。
【図１３】予約する際に、空き状況を確認するための画面である。
【図１４】予約内容を確認するための画面である。
【図１５】予約する際に、登録されたユーザであることを確認するためのＥ−ＭＡＩＬアドレスとパスワードを入力する画面である。
【図１６】予約する際に必要な項目を入力するための画面である。
【図１７】ユーザ登録する際に、ユーザの情報を入力するための画面である。
【図１８】ユーザについて登録された内容を検索に反映させる実施形態について説明するフローチャートである。
【符号の説明】
１０  ダイビングサービス検索システム
１１  ポイント加算手段
１２  インターネット
１４  ダイビングサービス検索用サーバコンピュータ
１５  ユーザコンピュータ
１６，４０  制御部
１７  検索手段
１８，４２  通信部
１９  予約受付手段
２０，４４  記憶手段
２１  ダイビング情報データベース
２２  ユーザ登録データベース
２４  地図情報
２５  熟練度
２６  見どころ等の情報
２７，２８  開催情報
３０  Ｅ−ＭＡＩＬアドレス
３２  パスワード
３４  ユーザプロフィール
３６  カード保有情報
３７  保有機材情報
３８  職業
３９  獲得ポイント
４６  入力手段
４８  表示手段
５０  ブラウザ
５２  個別特徴情報
５４  開催情報
６０，６９，７２  ボタン
６６，６８  条件
７０，７１，７８，７９，８０，８８  プルダウンメニュー
７４    カップルプランボタン
７６    条件検索ボタン
８１，８２．８３，９６  チェックボックス
８４，９３  送信ボタン
８６    空き状況ボタン
８７    日付部分
８９    予約ボタン
９０，９２  テキストボックス
９１  進むボタン
９４，９７  登録ボタン
【図１】
2004264961.tif 000003
【図２】
2004264961.tif 000004
【図３】
2004264961.tif 000005
【図４】
2004264961.tif 000006
【図５】
2004264961.tif 000007
【図６】
2004264961.tif 000008
【図７】
2004264961.tif 000009
【図８】
2004264961.tif 000010
【図９】
2004264961.tif 000011
【図１０】
2004264961.tif 000012
【図１１】
2004264961.tif 000013
【図１２】
2004264961.tif 000014
【図１３】
2004264961.tif 000015
【図１４】
2004264961.tif 000016
【図１５】
2004264961.tif 000017
【図１６】
2004264961.tif 000018
【図１７】
2004264961.tif 000019
【図１８】
2004264961.tif 000020